(57)【要約】 【課題】紫外線照射による吸水性高分子の劣化を効果的に防止することにより、長期間にわたり良好な保湿・保冷効果を発揮することの可能な保冷体を提供する。【解決手段】下面シート１０の上に、円柱状のキャップ部１００が多数配された厚み約２００μｍの上面シート１１を対向配置させ、キャップ部１００の内部に所定量のポリアクリル酸ナトリウムを含水させた保冷ゲル１５を充填し、内部封止して保冷緩衝シート１を構成する。上面シート１１は主成分のポリエチレンに対し、シート内部への紫外線の入射を遮断する紫外線遮断成分（カーボンブラック）を添加させて構成する。【選択図】図１
2009213777.tif 000002
【特許請求の範囲】
【請求項１】
第一フィルムに対し、表面に複数の凸部を持つ第二フィルムが前記凸部において前記第一フィルムとの間で複数の空隙を内包するように積層され、前記空隙に保冷ゲルが充填されてなる保冷緩衝体であって、
第一フィルム又は第二フィルムの少なくともいずれかの一部以上が、紫外線遮断成分を含むフィルムで構成されている
ことを特徴とする保冷緩衝体。
【請求項２】
第一フィルムに対し、表面に複数の凸部を持つ第二フィルムが前記凸部において前記第一フィルムとの間で複数の空隙を内包するように積層された気泡緩衝材を有し、前記空隙に保冷ゲルが封止されてなる保冷緩衝体であって、
第一フィルム又は第二フィルムの少なくともいずれかの一部以上が、紫外線遮断成分を含むフィルムで構成されている
ことを特徴とする保冷緩衝体。
【請求項３】
紫外線遮断成分を含むフィルムは、複数の樹脂層が積層されてなり、当該複数の樹脂層の少なくともいずれかが紫外線遮断成分を含んでいる
ことを特徴とする請求項１又は２に記載の保冷緩衝体。
【請求項４】
紫外線遮断成分は、カーボンブラック、アルミ、酸化チタンの少なくともいずれかである
ことを特徴とする請求項１〜３のいずれかに記載の保冷緩衝体。
【請求項５】
第一フィルムに対し、表面に複数の凸部を持つ第二フィルムが前記凸部において複数の空隙を内包するように積層され、前記空隙に保冷ゲルが充填されてなる保冷緩衝体であって、
保冷ゲルに、ベンゾトリアゾール系化合物、ベンゾフェノン系化合物、サリチレート系化合物の少なくともいずれかが添加されている
ことを特徴とする保冷緩衝体。
【請求項６】
第一フィルムに対し、表面に複数の凸部を持つ第二フィルムが前記凸部において複数の空隙を内包するように積層されてなる気泡緩衝材に、保冷ゲルが封止されてなる保冷緩衝体であって、
保冷ゲルに、ベンゾトリアゾール系化合物、ベンゾフェノン系化合物、サリチレート系化合物の少なくともいずれかが添加されている
ことを特徴とする保冷緩衝体。
【請求項７】
保冷ゲルは、ポリアクリル酸塩、ポリビニルアルコール、ポリイソプロピルアクリルアミドの少なくともいずれかを含有している
ことを特徴とする請求項１〜６のいずれかに記載の保冷緩衝体。
【請求項８】
保冷ゲルが外装フィルムに封止されてなる保冷枕であって、
外装フィルムの一部以上が、紫外線遮断成分を含むフィルムで構成されている
ことを特徴とする保冷枕。
【請求項９】
紫外線遮断成分を含むフィルムは、複数の樹脂層が積層されてなり、当該複数の樹脂層の少なくともいずれかが紫外線遮断成分を含んでいる
ことを特徴とする請求項８に記載の保冷枕。
【請求項１０】
紫外線遮断成分は、カーボンブラック、アルミ、酸化チタンの少なくともいずれかである
ことを特徴とする請求項８または９に記載の保冷枕。
【請求項１１】
保冷ゲルが外装フィルムに封止されてなる保冷枕であって、
保冷ゲルに、ベンゾトリアゾール系化合物、ベンゾフェノン系化合物、サリチレート系化合物の少なくともいずれかが添加されている
ことを特徴とする保冷枕。
【請求項１２】
保冷ゲルには水分が含まれており、
前記水分は当該保冷ゲルの２５重量％以上６０重量％以下の比率で含まれている
ことを特徴とする請求項８〜１１のいずれかに記載の保冷枕。
【請求項１３】
保冷ゲルには、水分と、グリセリン若しくは多価アルコール系化合物からなる添加物が含まれており、
前記添加物は当該保冷ゲルの５０重量％以上８０重量％以下の比率で含まれ、
前記エチレングリコール系化合物は、添加物中において、１５重量％以上３０重量％以下の比率で含まれている
ことを特徴とする請求項８〜１１のいずれかに記載の保冷枕。
【請求項１４】
保冷ゲルは、ポリアクリル酸塩、ポリビニルアルコール、ポリイソプロピルアクリルアミドの少なくともいずれかを含有している
ことを特徴とする請求項８〜１３のいずれかに記載の保冷枕。
【請求項１５】
保冷剤が通気性を有する外装体の内部に封止されてなる保冷バッグであって、
外装体の一部以上が、紫外線遮断成分を含む材料で構成されている
ことを特徴とする保冷バッグ。
【請求項１６】
前記外装体は不織布又は編成布で構成され、
前記紫外線遮断成分は、前記不織布又は編成布をなす繊維に対して添加された顔料または塗料である
ことを特徴とする請求項１５に記載の保冷バッグ。
【請求項１７】
保冷剤が通気性を有する外装体の内部に封止されてなる保冷バッグであって、
保冷剤にベンゾトリアゾール系化合物、ベンゾフェノン系化合物、サリチレート系化合物の少なくともいずれかが添加されている
ことを特徴とする保冷バッグ。
【請求項１８】
外装体の内部が複数に区画され、
保冷剤は前記区画の各々に収納されている
請求項１５〜１７のいずれかに記載の保冷バッグ。
【請求項１９】
保冷剤は、ポリアクリル酸塩、ポリビニルアルコール、ポリイソプロピルアクリルアミドの少なくともいずれかを含有する粉末である
ことを特徴とする請求項１５〜１８のいずれかに記載の保冷バッグ。
【発明の詳細な説明】
【技術分野】
【０００１】
本発明は、吸水性高分子を用いた保冷体に関し、特に吸水性高分子の紫外線劣化を防止する技術に関する。
【背景技術】
【０００２】
ポリビニルアルコール（ＰＶＡ）やポリアクリル酸塩（ＰＡ）に代表される吸水性高分子は、自重の数十倍から数百倍以上の水分を吸収できる特性を有し、紙おむつや生理用品等に広く利用されている。
【０００３】
最近では、吸水したゲル状の吸水性高分子が、比較的長期にわたり水分徐放性を呈する性質に着目し、各種保湿・保冷手段として普及しつつある。
【０００４】
例えば特許文献１には、気泡緩衝シートからなる袋に液体保冷剤を充填し、内部封止した保冷体によって、緩衝効果と保冷効果をなす構成が開示されている。また特許文献２には、気泡緩衝シートのキャップ（セル）部に保冷剤を充填してなるシート状保冷体が記載されている。さらに特許文献３には、プラスチックフィルムからなる外装袋に、保冷ゲルを収納してなる保冷枕が開示されている。
【０００５】
また、特許文献４には、保冷ゲルを帯状の袋に収納してなる保冷バンドを用い、保冷ゲル中の水分の気化熱により冷却効果を得る構成が記載されている。
【特許文献１】特開２００１−１２４４４９号公報
【特許文献２】実録第３０３１６１２号公報
【特許文献３】特開２００１−２１２１６８号公報
【特許文献４】特許２００５−４４５号公報
【発明の開示】
【発明が解決しようとする課題】
【０００６】
しかしながら、吸水性高分子は紫外線に対する耐久性が劣る性質があり、野外で使用する場合に問題が存在する。例えば保冷ゲルを含む保冷体が太陽光線に曝露され続けると、保冷体の外装を通して太陽光線中の各波長域の紫外線（近紫外線及び遠紫外線等）による作用を受け、ゲル中の吸水性高分子構造における架橋部分が切断・分解される。
【０００７】
このように吸水性高分子が分解されると含水量が減少し、吸水性高分子本来の特性が維持できず、保冷ゲルとしての保湿・保冷効果を発揮できなくなる。また、吸水性高分子の分解により低分子が発生し、外装体の小さな隙間を通して外部に漏出してしまう問題がある。
【０００８】
このような問題は、保冷体を前述した野外で使用するほか、太陽光線が長期にわたり当たる環境で利用する場合などに、特に解決すべき問題である。
【０００９】
本発明は以上の課題に鑑みてなされたものであって、紫外線照射による吸水性高分子の劣化を効果的に防止することにより、長期間にわたり良好な保湿・保冷効果を発揮することの可能な保冷体を提供することを目的とする。
【課題を解決するための手段】
【００１０】
上記課題を解決するために、本発明は、第一フィルムに対し、表面に複数の凸部を持つ第二フィルムが前記凸部において前記第一フィルムとの間で複数の空隙を内包するように積層され、前記空隙に保冷ゲルが充填されてなる保冷緩衝体であって、第一フィルム又は第二フィルムの少なくともいずれかの一部以上が、紫外線遮断成分を含むフィルムで構成されているものとした。
【００１１】
また本発明は、第一フィルムに対し、表面に複数の凸部を持つ第二フィルムが前記凸部において前記第一フィルムとの間で複数の空隙を内包するように積層された気泡緩衝材を有し、前記空隙に保冷ゲルが封止されてなる保冷緩衝体であって、第一フィルム又は第二フィルムの少なくともいずれかの一部以上が、紫外線遮断成分を含むフィルムで構成されているものとした。
【００１２】
ここで、前記いずれかの保冷緩衝体において、紫外線遮断成分を含むフィルムは、複数の樹脂層が積層されてなり、当該複数の樹脂層の少なくともいずれかが紫外線遮断成分を含んだ構成とすることもできる。この場合、紫外線遮断成分は、カーボンブラック、アルミ、酸化チタンの少なくともいずれかを用いることが可能である。
【００１３】
また本発明は、第一フィルムに対し、表面に複数の凸部を持つ第二フィルムが前記凸部において複数の空隙を内包するように積層され、前記空隙に保冷ゲルが充填されてなる保冷緩衝体であって、保冷ゲルに、ベンゾトリアゾール系化合物、ベンゾフェノン系化合物、サリチレート系化合物の少なくともいずれかが添加されている構成とした。
【００１４】
さらに本発明は、第一フィルムに対し、表面に複数の凸部を持つ第二フィルムが前記凸部において複数の空隙を内包するように積層されてなる気泡緩衝材に、保冷ゲルが封止されてなる保冷緩衝体であって、保冷ゲルに、ベンゾトリアゾール系化合物、ベンゾフェノン系化合物、サリチレート系化合物の少なくともいずれかが添加されている構成とした。
【００１５】
ここで、本発明における保冷ゲルは、ポリアクリル酸塩、ポリビニルアルコール、ポリイソプロピルアクリルアミドの少なくともいずれかを含有する構成とすることができる。
【００１６】
また、本発明は、保冷ゲルが外装フィルムに封止されてなる保冷枕であって、外装フィルムの一部以上が、紫外線遮断成分を含むフィルムで構成されているものとした。
【００１７】
ここで、紫外線遮断成分を含むフィルムは、複数の樹脂層が積層されてなり、当該複数の樹脂層の少なくともいずれかが紫外線遮断成分を含んだ構成とすることもできる。また、紫外線遮断成分には、カーボンブラック、アルミ、酸化チタンの少なくともいずれかを用いることも可能である。
【００１８】
また本発明は、保冷ゲルが外装フィルムに封止されてなる保冷枕であって、保冷ゲルに、ベンゾトリアゾール系化合物、ベンゾフェノン系化合物、サリチレート系化合物の少なくともいずれかが添加されている構成とした。
【００１９】
ここで保冷ゲルには水分が含まれており、当該水分は当該保冷ゲルの２５重量％以上６０重量％以下の比率で含まれている構成とすることもできる。
【００２０】
また、保冷ゲルには、水分と、グリセリン若しくは多価アルコール系（エチレングリコール系等）化合物からなる添加物が含まれており、前記添加物は当該保冷ゲルの５０重量％以上８０重量％以下の比率で含まれ、前記エチレングリコール系化合物は、添加物中において、１５重量％以上３０重量％以下の比率で含まれている構成とすることも可能である。
【００２１】
ここで前記保冷ゲルは、ポリアクリル酸塩、ポリビニルアルコール、ポリイソプロピルアクリルアミドの少なくともいずれかを含有する構成とすることができる。
【００２２】
また本発明は、保冷剤が通気性を有する外装体の内部に封止されてなる保冷バッグであって、外装体の一部以上が、紫外線遮断成分を含む材料で構成されている構成とすることができる。
【００２３】
この場合、前記外装体は不織布又は編成布で構成され、前記紫外線遮断成分は、前記不織布又は編成布をなす繊維に対して添加された顔料または塗料とすることもできる。
【００２４】
さらに本発明は、保冷剤が通気性を有する外装体の内部に封止されてなる保冷バッグであって、
保冷剤にベンゾトリアゾール系化合物、ベンゾフェノン系化合物、サリチレート系化合物の少なくともいずれかが添加されている構成とした。
【００２５】
この場合、外装体の内部が複数に区画され、保冷剤は前記区画の各々に収納されている構成とすることもできる。
【００２６】
また、保冷剤は、ポリアクリル酸塩、ポリビニルアルコール、ポリイソプロピルアクリルアミドの少なくともいずれかを含有する粉末とすることもできる。
【００２７】
なお、本発明における「紫外線遮断」とは、近紫外線（波長２００ｎｍ〜２８０ｎｍ）又は遠紫外線（波長２００ｎｍ〜１０ｎｍ）の入射を６０％以上カットする性能を指すものとする。
【００２８】
また、本発明における「含水ゲル」とは、吸水性高分子に水分が添加された構成を指し、吸水性高分子に対して透明性を呈する程度まで比較的大量の水分を添加した構成に限定されない。従って本発明の含水ゲルには、例えば水を添加した後も白濁した粉体の形態を有するものも含まれる。
【発明の効果】
【００２９】
以上の構成を有する本発明の保冷体では、紫外線遮断成分の利用により、太陽光線に含まれる紫外線が保冷ゲルへ到達するのが遮断される。よって、当該保冷体を野外で使用しても吸水性高分子の化学構造が安定に保たれ、保冷ゲルによる良好な保湿・保冷効果が継続的に発揮される。
【００３０】
具体的に、空隙に保冷ゲルを充填した本発明の保冷緩衝体では、たとえ使用後の回収工程等に太陽光線下に曝されても、緩衝保冷体内部への紫外線の入射が紫外線遮断成分を含む第一又は第二フィルムの少なくともいずれかにより防止される。これにより、保冷ゲルの吸水性高分子が紫外線劣化するのを効果的に防止でき、安定した化学構造を維持できるので、保冷緩衝体をその後も繰り返し使用できる。そしてその都度、保冷ゲルによる良好な保湿・保冷効果と、空隙による緩衝効果が得られる。
【００３１】
また、気泡緩衝材に保冷ゲルを封止した本発明の保冷緩衝体では、保冷対象品は保冷緩衝体に対して主に多数のキャップ部（気泡部分）の先端で接触するため、保冷対象品が保冷ゲルにより“冷凍焼け”することがなく、その美観や品質を維持できる。これに加え、紫外線遮断成分を含む気泡緩衝材によって、保冷ゲルに対する紫外線の遮断効果が発揮される。よって、当該保冷緩衝体においても長期間にわたって優れた保湿・保冷効果が発揮され、使用耐久性の向上が期待できる。
【００３２】
また、本発明の保冷枕では、使用前に予め冷やしておくことで、使用者の頭部に良好な保冷効果が発揮され、安眠作用を期待できる。一方、保冷ゲルを包む外装フィルムに紫外線遮断成分が含まれているため、当該枕を熱中症や日射病を生じた患者に対して応急処置を施す場合に使用しても、保冷ゲル中の吸水性高分子の架橋部分が紫外線劣化して変質するのを防止できる。よって、長期間にわたり良好に保冷ゲルの化学構造を維持でき、優れた保冷効果を期待することができる。
【００３３】
さらに、本発明の保冷帯においては、予め含水させて保冷ゲルを形成したのち、保冷体を身体に被着させることにより、蒸発潜熱による冷却効果が得られる。この場合、保冷帯を野外など太陽光線の当たるところで使用しても、外装体に含まれる紫外線遮断成分が外装体の内部に紫外線が入射するのを防止するため、保冷ゲルの紫外線劣化が抑制される。これにより、長期間保冷帯を野外使用しても、経時的に安定した保湿・保冷効果が得られる。
【００３４】
ここで本発明の保冷帯は、吸水性高分子のゲルを暖めることにより、保温手段として使用することも可能である。この場合も、野外使用時におけるゲルの紫外線劣化を防止できるので、優れた保温・保湿効果を長期間にわたり得られるようになっている。
【００３５】
なお、本発明では、保冷ゲルに各種の紫外線分解防止剤を添加し、吸水性高分子の分解を防止することも可能である。
【発明を実施するための最良の形態】
【００３６】
以下に本発明の各実施の形態を説明するが、当然ながら本発明はこれらの実施形式に限定されるものではなく、本発明の技術的思想を逸脱しない範囲で適宜変更して実施することができる。
【００３７】
また各実施の形態に示した構成は、矛盾しない範囲で互いに組み合わせることも勿論可能である。
【００３８】
＜実施の形態１＞
図１は、本発明の実施の形態１である保冷機能を持つ気泡緩衝体（以下、「保冷緩衝シート１」と称する。）の構成を示す正面図である。図２（ａ）は保冷緩衝シート１の内部構造を示す断面図である。
【００３９】
保冷緩衝シート１は、厚み約３５〜５０μｍの下面シート（第二フィルム）１０の一方の主面に、凸部断面を持つ円柱状のキャップ部１００が多数配された厚み約３５〜５０μｍの上面シート１１（第一フィルム）を対向配置させて積層し、キャップ部１００において、下面シート１０との空隙の内部に所定量の保冷ゲル１５及びエア１６を充填して内部封止した構成を持つ。
【００４０】
保冷ゲル１５は、吸水性高分子であるポリアクリル酸塩（一例としてポリアクリル酸ナトリウム）に適度な水分を含水させたものであって、キャップ部１００において緩衝効果を得るためのエア１６と略同量ずつの体積割合で充填されている。ポリアクリル酸ナトリウムは、カルボン酸イオンが親水基として作用し、自重の数百倍の質量に及ぶ水分により保冷ゲルを形成する。保冷緩衝シート１では、この保冷ゲルの比熱効果を利用して、保冷緩衝シート１では良好な保冷効果が発揮されるようになっている。
【００４１】
保冷緩衝シート１は、公知の真空ロール方法に基づき、予めスポット的に配置された保冷ゲル１５及びエア１６を挟み、対向配置させた上面シート３と下面シート４とを公知の真空ロール方法に基づいて貼り合わせて形成されている。
【００４２】
ここで保冷緩衝シート１の主たる特徴は、上面シート１１が主成分のポリエチレンに対し、シート内部への紫外線の入射を遮断する紫外線遮断成分が添加されている点にある。当該成分はカーボンブラックの粉末であり、ポリエチレン成分に分散するように添加している。これにより、キャップ部１００の内部に収められる保冷ゲル１５は、上面シート１１側から照射される紫外線に対する保護が図られ、ポリアクリル酸ナトリウムが長期にわたり紫外線劣化を回避して安定した化学構造を保持できるように工夫されている。
【００４３】
なお、吸水性高分子としてはポリアクリル酸塩の他、ポリビニルアルコール、ポリイソプロピルアミドの少なくとも何れかを用いることが可能である。本発明は、紫外線による分解性が比較的高いとされるポリアクリル酸ナトリウム等のポリアクリル酸塩を使用する場合に、特に有用である。
【００４４】
また、紫外線遮断成分としては、カーボンブラックのほか、アルミや酸化チタンの粉末を利用できる。
【００４５】
以上の構成を有する保冷緩衝シート１は、例えば図３に示すように、搬送コンテナ２の内壁に貼着されて使用される。この場合の保冷対象品としては、搬送時に保冷・保湿環境が要求される生麺類や生鮮食品、パン・卵製品等が想定される。保冷緩衝シート１は搬送コンテナ２の内壁に配設されることで、これらの保冷対象品を適切な温度・湿度に維持し、安全に搬送できる効果を奏する。
【００４６】
或いは保冷緩衝シート１は、保冷対象品に対して直接巻き付けて配設することもできる。この場合、保冷剤は各キャップ部１００ｃに充填されているので、保冷緩衝シート１自体の柔軟性を利用して、様々な形状の保冷対象品の表面に追従するように保冷緩衝シート１を配設し、保冷効果を得ることが出来るようになっている。
【００４７】
ここにおいて、従来では保冷対象品が無事搬送された後は、保冷緩衝シート及び搬送コンテナは用済みとなり、搬送元へ回収されうる。この場合、回収工程において保冷緩衝シートが太陽光線下に曝される場合があり、従来であれば保冷緩衝シートの外装体を通して入射された紫外線により、保冷ゲルが紫外線劣化してしまうおそれがある。これに対して本発明の保冷緩衝シート１は、紫外線の入射が紫外線遮断成分を含む上面シート１１において遮断されるので、上面シート１１側からの紫外線照射によって、キャップ部１００に充填された保冷ゲル１５が紫外線劣化するのが効果的に防止される。これにより、使用済みの保冷緩衝シート１がたとえ回収時に太陽光線に有る期間曝されたとしても、その後も何度でも繰り返し使用でき、その都度、保冷ゲル１５による良好な保冷効果と、キャップ部１００による緩衝効果を共に得ることができるようになっている。
【００４８】
また、紫外線遮断成分は、上面シート１１の一部（例えばキャップ部１００に対応する部分のみ）に配設してもよく、この場合は当該配設部分において、上記紫外線遮断効果を得ることができる。しかしながら上面シート１１の全面にわたって紫外線遮断成分を配設するようにすれば、一層当該効果を確実に得ることができるため好適である。
【００４９】
（保冷緩衝シートの変形例）
本発明の保冷緩衝シートは、上記図２（ａ）に示した構成に限定されず、例えば図２（ｂ）〜（ｄ）にそれぞれ示す各構成のいずれかとすることもできる。これらの変形例は、いずれも保冷緩衝シートにおいて、紫外線遮断成分を含む構成部分に主たる差異がある。
【００５０】
図２（ｂ）に示す保冷緩衝シート１ａは、上面シートが複数の樹脂層（ベースフィルム１２及びコーティングフィルム１３）を積層してなり、この上面シートのキャップ部１００ａに保冷ゲル１５を充填させた構成を持つ。この構成では、上面シートにおいて、少なくともコーティングフィルム１３中に紫外線遮断成分（カーボンブラック）が添加されている。このような構成は、従来の保冷緩衝シートのベースフィルム１２にコーティングフィルム１３を上から積層して実現できるので、本発明を比較的容易に実現できるメリットがある。なお、この構成において、ベースフィルム１２にも紫外線遮断成分を添加することもできる。
【００５１】
図２（ｃ）に示す保冷緩衝シート１ｂは、上面シートがベースフィルム１２の上に、紫外線遮断成分を添加してなる平坦なカバーフィルム１４を積層して構成されている。このような構成も、従来の保冷緩衝シートの表面にカバーフィルム１４を配設することによって、平易に実現出来るものである。
【００５２】
図２（ｄ）に示す保冷緩衝シート１ｃは、下面シート１０の下に、紫外線遮断成分を添加してなるコーティングフィルム１４を積層した構成を有する。この構成も上記各バリエーションと同様に、従来の保冷緩衝シートを利用して構成できるメリットがあるほか、紫外線が下面シート１０側からキャップ部１００ｂ内に入射しうるような使用態様（例えば図３のコンテナにおいて、保冷緩衝シート１を下面シート側が外部に露出するように配設する態様）において有用である。
【００５３】
なお、保冷緩衝シート１ｃにおいて、保冷緩衝シート１ｂのカバーフィルム１４をさらに配設するようにすれば、当該シートの両主面から保冷ゲル１５を紫外線保護することができ、一層好適である。この構成は、保冷緩衝シートの両主面が太陽光線に曝される使用態様の場合に有効である。
【００５４】
＜実施の形態２＞
図４は、本発明の実施の形態２における保冷緩衝体として、保冷緩衝バッグ３の構成を示す図である。
【００５５】
保冷緩衝バッグ３は、図４（ｂ）に示すように、保冷作用をなすバッグ本体３０が、紫外線遮断機能を持つ気泡緩衝材からなる外装シート１ｄで被覆され、バッグ本体３０の周囲１０１の三方が熱圧着で内部封止された構成を持つ。外装シート１ｄの構成は、キャップ部１００ｃに保冷ゲルが充填されていない以外は、実施の形態１で示したシート１と同じである。
【００５６】
図４（ｃ）は、図４（ａ）におけるバッグ本体３０のＢ−Ｂ‘断面図である。当図に示すように、バッグ本体３０は、外装フィルム３００の内部に適量の水分を吸収したポリアクリル酸塩からなる保冷ゲル１５が内包されて構成されている。
【００５７】
外装シート１ｄの上面シート１１は、実施の形態１と同様に、その一部以上が紫外線遮断成分を含むフィルムで構成されている。これにより保冷緩衝バッグ３の表面には上面シート１１が配置されており、図２（ａ）に示すように、キャップ部１００ｃが露出するようになっている。
【００５８】
保冷緩衝バッグ３のサイズ例としては、短辺２０ｃｍ×長辺４０ｃｍ×最大厚み３ｃｍとすることができる。
【００５９】
以上の構成を持つ保冷緩衝バッグ３においては、ユーザーは使用に際し、予め保冷緩衝バッグ３を冷凍庫等に投入しておき、内部の保冷ゲルを冷やしておく。このとき、保冷ゲルは凍らせても良いが、衝撃緩衝性を得るためになるべく凍らさない方が好適である。
【００６０】
そして使用時には、ユーザーは保冷緩衝バッグ３を冷凍庫から取り出し、例えばその適量数を生鮮食品等の保冷対象品とともに梱包材に投入する。この際、保冷対象品は梱包材中において、表面に柔軟なキャップ部１００Ｃを多数持つ保冷緩衝バッグ３と接触するので、保冷対象品に搬送時の衝撃が加わっても、保冷対象品がキャップ部と当接することで、当該キャップ部１００ｃの弾性変形によって効果的に衝撃吸収される。このキャップ部１００ｃによる衝撃吸収性は、特に保冷ゲルが柔軟性を失う程度に凍結された場合でも発揮されるので有用である。
【００６１】
また、保冷対象品は保冷緩衝バッグ３に対し、主として多数のキャップ部１００ｃの先端において接触する。このため、各キャップ部１００ｃの間隙の保冷緩衝バッグ３の表面が直接保冷対象品と接触するのが抑制され、保冷対象品の“冷凍焼け”の問題を回避して、保冷対象品の美観や品質を維持することが可能である。
【００６２】
このような効果に加え、保冷緩衝バッグ３では上記実施の形態１と同様に、紫外線に対する遮断効果が発揮され、保冷ゲルの化学構造が紫外線劣化から守られる。すなわち、搬送先において梱包が解かれた後、回収される保冷緩衝バッグ３が太陽光線下に曝されたとしても、紫外線遮断成分を含む上面シート１１の領域において、紫外線劣化による保冷ゲルの架橋構造の破壊が抑制されるので、何度でも繰り返し使用することができ、その都度、優れた保冷効果が発揮されることとなる。
【００６３】
なお、保冷緩衝バッグ３の外装シート１ｄとしては、保冷ゲルをキャップ部に充填しない点を除き、前述の図２（ｂ）〜（ｄ）に示す各保冷緩衝シートのいずれかの構成を採ることも可能である。
【００６４】
また、保冷緩衝バッグ３の主面形状は、図４に示すような長方形状に限定されず、使用用途に合わせて、正方形状やその他の多角形状、または丸形、ドーナツ型等の各形状とすることができる。
【００６５】
＜実施の形態３＞
図５は、実施の形態３の保冷枕４の構成を示す図である。
【００６６】
保冷枕４は、図５（ｂ）に示すように、保冷作用をなす保冷ゲル４００が、柔軟な樹脂材料からなる外装シート４０に被覆された構成を持つ。外観的には図５（ａ）に示すように矩形状に形成されており、サイズ例は長辺４０ｃｍ×短辺３０ｃｍ×最大厚み１０ｃｍとすることができる。
【００６７】
保冷ゲル４００は、ここではポリアクリル酸ナトリウム（４００ｇ）に対し、これと同量の水分（４００ｇ）を添加することにより形成されている。この混合比率は、保冷枕を一般的な冷凍庫（-１０℃程度の冷凍温度）に投入しても保冷ゲルが凍らず、柔軟性を失わないように設定したものである。保冷ゲルの不凍性は、水分の増加に比例して低下するのが通常である。従って、枕としての柔軟性を維持するためには、ポリアクリル酸ナトリウムに対する水分の混合比率は、保冷ゲル中の水分が当該保冷ゲルの２５重量％以上６０重量％以下となる範囲（例えば吸水性高分子と水分の重量比率が１：１となるよう）に設定するのが好適である。不凍液を別途添加することもできるが、保冷ゲル本来の保冷効果を損なわないように添加量や化学特性に留意する。
【００６８】
また、上記以外にも、保冷ゲルには、水分と、グリセリン若しくは多価アルコール系（エチレングリコール系等）の化合物からなる添加物を含有させることもできる。このような構成の保冷ゲルも、上記と同様に不凍性による柔軟効果と、良好な保冷作用が期待できる。前記添加物は、当該保冷ゲルの５０重量％以上８０重量％以下の比率に設定するのが好適である。さらに、前記エチレングリコール系化合物は、添加物中において、１５重量％以上３０重量％以下の比率で含まれるように調整する。
【００６９】
なお、柔軟性がそれほど必要でない場合には、保冷枕を凍らせて使用することももちろん可能である。この場合、保冷ゲル中の水分量は、上記数値範囲に限定されず、それ以上の量に設定してもよい。
【００７０】
以上の構成を有する保冷枕は、夏場等において予め冷やしておき、就寝時に使用する。この使用形態では、使用開始から少なくとも２〜３時間の間は、使用者の頭部に対して良好な保冷効果が発揮され、安眠作用を期待することができる。また、保冷ゲルが凍って硬くならないので、使用者の頭部の重量及び形状に追随して枕全体が柔軟に変形するので、優れた使用感を発揮できる。さらに前記柔軟性により、使用者の頭部に枕の表面が密着するので、広い面積にわたって保冷効果が発揮されるメリットも有する。
【００７１】
そして、この使用時において、保冷枕４内部の保冷ゲルは、外装シート４０により外部からの紫外線照射が遮断され、紫外線劣化から効果的に保護される。その結果、例えば野外でスポーツや作業を行う場合において、熱中症や日射病を生じた患者に対して応急処置を施す場合に使用しても、保冷ゲル中の高分子の架橋部分が紫外線劣化により切断され、変質するのを防止できる。その結果、長期間にわたり良好に保冷ゲルの化学構造を維持することができ、繰り返し優れた保冷効果を期待することができる。
【００７２】
なお、紫外線遮断成分は外装シート４０に添加する構成に限定するものではなく、図５（ｃ）の保冷枕４ａに示すように、外装シート４１の表面に、紫外線遮断成分を分散させた樹脂製フィルムからなるコーティングフィルム４２を積層した構成としてもよい。このように複数の樹脂層を積層し、その少なくともいずれかの層に紫外線遮断成分を含ませた構成でも．上記と同様の効果が奏される。また保冷枕４ａは、既存の保冷枕の表面にコーティングフィルム４２を配設すれば作製できるので、比較的容易に実現できるメリットも有している。
【００７３】
なお、本発明の保冷枕は冷やして使用する態様に限定されない。例えば冬場において、これを予め保温しておき、保温枕やその他、身体への保温手段として使用することもできる。
【００７４】
＜実施の形態４＞
図６（ａ）は、本発明の実施の形態６における保冷帯５の構成を示す図である。
【００７５】
当図に示す保冷帯５は、帯状の外装体５０の内部に、保冷剤として、吸水性高分子の粉体（ポリアクリル酸ナトリウムの粉末）が複数の区画に分けて収納された保冷バッグとしての構成を有する。サイズ例は、短辺４８ｍｍ×長辺５７５ｍｍ×乾燥厚み３ｍｍとすることができる。
【００７６】
外装体５０は、長尺状の合繊（ここではポリエステル繊維）の不織布または編成布（織布）を、茶色の顔料で染色して構成されている。この外装体５０の一方の主面上に複数の区画部（図６では５ａ〜５ｄの５つ）に分けて前記高分子粉体を載置し（各区画毎に０．４ｇ）、これを挟むように前記主面を短辺方向に折り返し、各区各部の周縁部５１が熱圧着により内部封止されている。外装体５０に付着された茶色の染料は、外装体５０内部への紫外線の入射を遮断する役目をなす。なお、染料色は茶色に限定されないが、黒色、紺色、緑色等、紫外線の遮断効果を考慮して、比較的濃い色が好適である。着色方法は染色するほか、塗料で不織布の外表面を塗布してもよい。いずれの場合も、外装体の多孔性を損なわないように留意する。
【００７７】
また、外装体５０の一部に染料を配設し、当該配設部分において紫外線遮断効果を得るようにしてもよいが、外装体５０の全体を染料で染色することにより、含水ゲルの十分な紫外線遮断効果が得られるので好適である。
【００７８】
以上の構成を有する保冷帯５では、蒸発潜熱による冷却効果が得られる。具体的には、ユーザーは使用に際し、保冷帯５を予め水に数分間浸漬させる。これにより保冷帯５では、多孔性の外装体５０の表面を通じて、区画部５ａ〜５ｄに水分が浸入し、粉末状の吸水性高分子が吸水して保冷ゲルが形成される。保冷ゲルの形成に伴い、帯状体５は体積膨張して厚みが増す。
【００７９】
ユーザーは以上の手順で保冷ゲルを形成させたのち、冷却させたい身体部分に被着させる。ここで図６（ｂ）では、首周りの両肩にわたり保冷帯を被着させた使用例を示している。
【００８０】
このような使用において、保冷帯の保冷ゲルに含まれる水分が、外装体５０表面の孔を通じて外部に揮発される。この水分蒸発に伴って気化熱（蒸発潜熱）が奪われるので、保冷帯の温度はその分低下する。これにより、ユーザーは両肩に保冷帯５を乗せておくだけで、前記気化熱によって効果的に冷却効果を得ることができ、両肩を中心に良好な清涼感を得ることができる。
【００８１】
この際、ユーザーは、タオルや、ジッパーで開閉可能にした袋等に保冷帯５を包んで使用することができる。この場合、身体に直接触れる外側部分を洗浄することが可能となり、スポーツなどでも常に清潔な状態で保冷帯５を使用することができる。
【００８２】
また、保冷帯５では区画部５ａ〜５ｄを設けることにより、身体の起伏に合わせて保冷帯５が柔軟に変形できるようになっているので、高い密着性が得られる。さらに、保冷ゲルの偏りが抑制されるので、たとえユーザーが運動している最中でも保冷帯５の全体にわたり、良好な保冷効果が発揮されるようになっている。
【００８３】
ここにおいて、保冷帯５を野外など太陽光線の当たるところで使用すると、外装体の内部に紫外線が入射され、保冷ゲルの化学構造が劣化しうる問題がある。この問題は、保冷帯５をタオル等で包んで使用する場合においても生じうる。この問題に対し、本実施の形態４では外装体５０が紫外線遮断機能を有するように染色処理を施されている。従って、長期間にわたり保冷帯を野外で使用しても、保冷ゲルは外装体により紫外線から良好に保護されるので、経時的に安定した保冷効果を得ることができるようになっている。
【００８４】
なお保冷帯５は、上記した使い方のほか、野外スポーツで負傷した身体部分を冷やす保冷バンドや、保冷バンダナとして使用することも可能である。
【００８５】
また、本実施の形態４の保冷対５は、冬場は吸水させた後に電子レンジ等で暖め、これを身体に配設することにより、保温帯として使用することも可能である。吸水性高分子のゲルは温熱特性についても優れた性能を発揮するため、このような使用方法も十分に実用的である。実際に保冷帯として使用する場合には、加熱温度に留意するほか、暖めた帯を樹脂袋等に入れ、水分が外部に漏れないように工夫することが好適である。
【００８６】
＜その他の事項＞
上記各実施の形態１〜４では、保冷ゲルをなす吸水性高分子としてポリアクリル酸塩を示したが、これは例示に過ぎない。本発明では、その他の吸水性高分子（ポリビニルアルコール（ＰＶＡ）、ポリイソプロピルアクリルアミド（Ｐ-ＮＩＰＡＭ）等）を用いることも可能である。いずれを用いる場合も、本発明によって紫外線劣化を防止できる有用性がある。
【００８７】
また、上記各実施の形態１〜４では、保冷ゲルを包む外装体の構成に紫外線遮断成分を添加する構成を示したが、この構成も限定事項ではない。本発明では保冷ゲルに対し、吸水性高分子の紫外線分解防止剤（紫外線吸収剤とも称される）を混合することも可能である。具体的には吸水性高分子が劣化を受けやすい、波長３２０ｎｍ〜３５０ｎｍ程度の紫外線を特に吸収する材料であって、ベンゾトリアゾール系化合物、ベンゾフェノン系化合物、サリチレート系化合物等の利用が好適である。
【００８８】
ベンゾトリアゾール系化合物の市販製品としては、株式会社チバガイギー製「チヌビン（登録商標）」シリーズを利用することができる。ベンゾフェノン系化合物としては、２−ヒドロキシ−４−メトキシベンゾフェノン、２，２，４，４，−テトラヒドロキシベンゾフェノン等も好適である。このような紫外線分解防止剤若しくは紫外線吸収剤を用いると、吸水性高分子の架橋構造を紫外線分解から効果的に保護することができる。
【００８９】
なお、保冷ゲルに対し、このような紫外線分解防止剤若しくは紫外線吸収剤を混合して用いる場合には、外装体に紫外線遮断機能を付与することは必須ではないが、より効果的に吸水性高分子の紫外線劣化を防止するためには、上記各実施の形態の構成に対し、さらに保冷ゲルに紫外線分解防止剤若しくは紫外線吸収剤を混合して用いることが好適である。
【産業上の利用可能性】
【００９０】
本発明は、野外使用など紫外線が存在する環境での用途の各種保冷緩衝体（気泡緩衝シート、保冷緩衝シート、保冷緩衝バッグ、保冷枕、保冷帯等）への利用が可能である。
【図面の簡単な説明】
【００９１】
【図１】実施の形態１における保冷緩衝シートの構成を示す図である。
【図２】保冷緩衝シートの構造を示す断面図である。
【図３】保冷緩衝シートの搬送コンテナへの適用例を示す図である。
【図４】実施の形態２の保冷緩衝バッグの構成を示す図である。
【図５】実施の形態３の保冷枕の構成を示す図である。
【図６】実施の形態４の保冷帯の構成と使用例を示す図である。
【符号の説明】
【００９２】
１、１ａ〜１ｃ    保冷緩衝シート
１ｄ、４０    外装シート
２    搬送コンテナ
３    保冷緩衝バッグ
４、４ａ    保冷枕
５    保冷帯
５ａ〜５ｄ    区画部
１０    下面シート
１１    上面シート
１２    ベースフィルム
１３    コーティングフィルム
１４    カバーフィルム
１５、４００    保冷ゲル
１６    エア
３０    バッグ本体
１００、１００ａ〜１００ｂ    キャップ部
１０１    周縁
３００    外装フィルム
【図１】
2009213777.tif 000003
【図２】
2009213777.tif 000004
【図３】
2009213777.tif 000005
【図４】
2009213777.tif 000006
【図５】
2009213777.tif 000007
【図６】
2009213777.tif 000008